(57)【要約】【課題】  原稿の枚数等に応じて最適な割り込み処理を行うことができる画像形成装置を提供する。  【解決手段】  ユーザが割り込みキーをオンすると、液晶表示部には割り込みジョブの原稿読取りを「テーブル」で行なうのか、「原稿読取り装置」で行なうのかという問い合せが表示される。これに対して、ユーザはいずれかを選択して割り込み処理が実行される。【選択図】      図３
2006180347.tif 000002
【特許請求の範囲】
【請求項１】
テーブル、または原稿送り装置によって搬送された所定の読取り位置のいずれかにおいて、原稿を読取る原稿読取り装置と、
割り込みジョブを受付ける割り込みジョブ受付け手段とを含み、
前記割り込みジョブ受付け手段は、割り込みジョブの原稿の読取りを、前記テーブルで行なう第１割り込みか、前記原稿送り装置で行なう第２割り込みのいずれかで受付ける割り込み選択手段を有し、
前記原稿送り装置による原稿読取り中に前記割り込みジョブ受付け手段が、割り込みを前記第１割り込みで受付けたときは、前記原稿送り装置からの読取りを中断して、前記テーブルで前記原稿を読取ることにより前記第１割り込みを実行し、前記第２割り込みで受付けたときは、前記原稿読取り装置で読取り中の原稿の読取り終了後に、前記原稿送り装置に載置されている原稿を全て排出した後で、前記第２割り込みの原稿が前記原稿送り装置に載置されたことを検知して前記第２割り込みを実行するよう、前記原稿送り装置および前記原稿読取り装置を制御する制御手段とを含む、画像形成装置。
【請求項２】
前記割り込み選択手段は、前記第１割り込みのみを選択するための選択キーを含む、請求項１に記載の画像形成装置。
【請求項３】
前記割り込み選択手段が前記割り込みジョブを、前記第１割り込みで受付けたときは、前記制御手段は、原稿送り装置のジャム検知を無効にする、請求項１または２に記載の画像形成装置。
【発明の詳細な説明】
【技術分野】
【０００１】
この発明は、画像形成装置に関し、特に、割り込み処理の容易な画像形成装置に関する。
【背景技術】
【０００２】
複数のジョブを制御でき、実行状態の全てのジョブまたは任意のジョブを一時停止できる画像形成装置が、たとえば、特開平８−６７４５号公報（特許文献１）に開示されている。この公報によれば、中断した読込みジョブを再開するときは、必ず原稿送り装置に原稿を初めから再セットしている。
【０００３】
一方、紙詰まり後の処理を考慮した画像形成装置が、たとえば、特開２００１−１３６３３９号公報（特許文献２）に開示されている。この公報によれば、ジャムが解除されて画像形成装置の記録動作が再開されたとき、原稿載置部に残っている原稿が引き続いて原稿読取り部に給送され、残りの原稿の読取りと記録紙への原稿画像の記録が行なわれる。このため、記録紙にジャムが発生しても原稿を繰り返し給送する必要がなくなる。
【特許文献１】特開平８−６７４５号公報（段落番号００１０等）
【特許文献２】特開２００１−１３６３３９号公報（段落番号０００６等）
【発明の開示】
【発明が解決しようとする課題】
【０００４】
従来の、任意のジョブを一時停止できる画像形成装置においては、中断した読込みジョブを再開するときには、必ず原稿送り装置に原稿を初めから再セットする必要があり、中段されたジョブの再開時に、無駄な時間が必要になるという問題があった。
【０００５】
一方、紙詰まり後の処理を考慮した画像形成装置においては、一旦読取った原稿の再読込（原稿の空送り）を行なわないため、原稿の傷みは抑制されるが、割り込み処理については何ら考慮されていなかった。
【０００６】
この発明は、上記のような問題点に着目してなされたもので、原稿の枚数等に応じて最適な割り込み処理を行うことができる画像形成装置を提供することを目的とする。
【課題を解決するための手段】
【０００７】
この発明に係る、画像形成装置は、テーブル、または原稿送り装置によって搬送された所定の読取り位置のいずれかにおいて、原稿を読取る原稿読取り装置と、割り込みジョブを受付ける割り込みジョブ受付け手段とを含み、割り込みジョブ受付け手段は、割り込みジョブの原稿の読取りを、テーブルで行なう第１割り込みか、原稿送り装置で行なう第２割り込みのいずれかで受付ける割り込み選択手段を有し、原稿送り装置による原稿読取り中に割り込みジョブ受付け手段が、割り込みを第１割り込みで受付けたときは、原稿送り装置からの読取りを中断して、テーブルで原稿を読取ることにより第１割り込みを実行し、第２割り込みで受付けたときは、原稿読取り装置で読取り中の原稿の読取り終了後に、原稿送り装置に載置されている原稿を全て排出した後で、第２割り込みの原稿が原稿送り装置に載置されたことを検知して第２割り込みを実行するよう、原稿送り装置および原稿読取り装置を制御する制御手段とを含む。
【０００８】
好ましくは、割り込み選択手段は、第１割り込みのみを選択するための選択キーを含む。
【０００９】
さらに好ましくは、割り込み選択手段が割り込みジョブを、第１割り込みで受付けたときは、制御手段は、原稿送り装置のジャム検知を無効にする。
【発明の効果】
【００１０】
この発明においては、原稿送り装置による原稿読取り中に割り込みジョブを受付けたときは、その割り込みジョブの原稿の読取りを、テーブルで行なうか、原稿送り装置で行なうかを選択可能である。
【００１１】
原稿送り装置またはテーブルのいずれかをユーザが選択できるため、原稿の枚数等に応じて最適な割り込み処理を行うことができる画像形成装置を提供できる。
【００１２】
また、割り込み処理をテーブルで行なうことにより、現在処理中のジョブを中断してすぐに割り込み処理が可能になるため、実行中のジョブに影響を与えることなく割り込み処理の可能な画像形成装置を提供できる。
【発明を実施するための最良の形態】
【００１３】
以下、この発明の実施の形態を、図面を参照して説明する。図１はこの発明の一実施の形態を、複写機能を有する画像形成装置に適応した場合の、画像形成装置１０の構成を示す模式図である。図１を参照して、画像形成装置１０は、原稿を自動的に所定の原稿読取り位置へ搬送する原稿送り装置３２と、画像形成装置１０とユーザとのインターフェイスとなる操作・表示部２０と、原稿送り装置３２によって搬送されてきた原稿の画像を所定の読取り位置でスキャナで読取る画像読取り部３０と、画像読取り部３０の下部に設けら、画像読取り部３０で読取られた原稿からその画像を形成する画像形成部３５と、画像形成部３５の下部に設けられ、コピー等に使用される用紙を収納する複数の用紙収納部１５ａ〜１５ｃとを含む。
【００１４】
画像読取部３０は、図示のないテーブルを含み、テーブル上に載置された原稿は、画像読取ＣＣＤ３３（図２参照）を有するスキャナ３１によってテーブルスキャンによって読取られる。
【００１５】
図２は図１に示した画像形成装置１０の機能ブロック図である。図２においては、図１と同じ部分には同じ参照番号を付している。
【００１６】
図２を参照して、画像形成装置１０の画像読取り部３０は、上記した原稿を走査するスキャナ３１と、スキャナ３１に設けられた画像読取りＣＣＤ３３とを含む。なお、ここでは、スキャナ３１の所定の読取り位置に自動的に原稿を搬送する原稿送り装置（ＤＦ、Document Feeder）３２も画像読取り部３０に含めている。
【００１７】
画像読取り部３０および操作・表示部２０等を制御する制御部４０は、割り込みジョブ受付け手段、割り込み選択手段および制御手段として機能するとともに、画像形成装置１０全体を制御するＣＰＵ４１と、各種データを格納するＲＯＭ，ＲＡＭ４２と、画像読取りＣＣＤ３３からの読取りデータを受け、ハードディスク４９やプリンタエンジン５１にデータを供給するメモリコピー部４３と、各種外部機器とのインターフェイス（Ｉ／Ｆ）４４〜４７とを含む。
【００１８】
インターフェイス（Ｉ／Ｆ）４４〜４７にはそれぞれ、プリンタコントローラ５０、上記した操作・表示部２０と、プリンタエンジン部５１、画像蓄積部となるハードディスク４９、画像読取りＣＣＤ３３が接続されている。
【００１９】
操作・表示部２０は、テンキー等のキー入力部２１と、液晶表示部２２と、ＬＥＤ表示部２３とを含む。ユーザは、キー入力部２１を用いて、所望のコピー等の設定を行なう。一方、ＣＰＵ４１は液晶表示部２２、ＬＥＤ表示部２３を用いて、ジャム等の画像形成装置１０の状態を通知する。なお、液晶表示部２２はタッチパネルとして、それを用いてユーザが画像形成装置の設定を行なってもよい。
【００２０】
なお、キー入力部２１には、ユーザが原稿送り装置３２上にセットした原稿、またはテーブル上にセットした原稿をスキャナ３１による読取りの開始を指示する「スタートボタン」や、読取りの終了を指示する「終了キー」等も含む。
【００２１】
プリンタエンジン５１は、ＬＳＵ（Laser Scanner Unit）５２と、定着装置５４とのインターフェイス５３とを含み、定着装置５４は、定着駆動モータ５５と、定着ヒータ５６と、定着温度センサ５７と機外温度センサ５８とを含む。
【００２２】
操作・表示部２０で入力されたユーザの設定に基づいて、画像読取部３０で原稿が読取られる。読取られた原稿の画像データは、ＲＡＭ４２やハードディスク４９に格納され、それがプリンタエンジン５１に内蔵された図示のない感光体ドラム上で潜像化され、定着機５４で用紙収納部１５ａ〜１５ｃから給紙された用紙に転写されて、図示のない用紙排出部に排出される。
【００２３】
なお、図中、太線は画像信号の流れを示し、細線は制御信号の流れを示す。
【００２４】
次にこの画像形成装置１０の動作について説明する。図３および図４は、画像形成装置１０において原稿送り装置で原稿の読込みを行なっているときにジョブが割り込まれた場合の、ＣＰＵ４１が行なう動作を示すフローチャートである。
【００２５】
図３および図４を参照して、ユーザは画像読取り部３０の原稿送り装置３２に原稿をセットして、操作・表示部２０から原稿の読取り開始を指示する（ステップＳ１１、以下ステップを省略する）。原稿の読取り中に、別のユーザがジョブを割り込ませるために操作・表示部２０の液晶表示部２２の割り込みキーをオンする（Ｓ１２）。
【００２６】
ユーザが割り込みキーをオンすると、液晶表示部２２には図５に示すように割り込みジョブの原稿読取りを「テーブル」で行なうのか（第１割り込み）、「原稿読取り装置」で行なうのか（第２割り込み）という問い合せが表示される。これに対して、ユーザはいずれかを選択する。
【００２７】
ユーザが「テーブル」を選択すると（Ｓ１３でテーブル割り込み選択）、原稿送り装置３２で搬送中の原稿の読取りが終了するとその原稿を排出し、次の原稿読込み待ち位置で待機させ、原稿送り装置３２でのジャムの検知を無効にする、原稿送り装置３２の中断処理を行なう（Ｓ１４）。次いで、液晶表示部２２は割り込み画面に移行する（Ｓ１５）。
【００２８】
ここで、原稿送り装置３２でのジャムの検知を無効にするのは、原稿送り装置３２でのジャム検知を有効にしておくと、割り込みユーザが割り込みジョブの原稿をテーブル上におくために、原稿送り装置３２を開けると、ジャム検知動作が自動的に作動するため、これを避けるためである。
【００２９】
割り込み画面でユーザがテーブル上に原稿を載置し、スタートキーをオンすると（Ｓ１６でＯＮ）、スキャナ３１はテーブルから原稿の読込みを開始する（Ｓ１７）。原稿の読込みが終了すると（Ｓ１８）、次の原稿の読取りのためにＳ１６へ戻る。ユーザが次の原稿をセットしてスタートキーをオンすれば、上記の処理を行う。
【００３０】
原稿の読取りが終了したときは、ユーザはスタートキーをオンしないので、Ｓ１９に移行し、再度の割り込みキーが押されるか否かを判断する。ここで、再度の割り込みキーがオンされると（Ｓ１９でＯＮした）、Ｓ１６に移行し、割り込みキーがオンされないと液晶表示部２２の表示を割り込み前の画面に戻す（Ｓ２０）。
【００３１】
ここでスタートキーがオンされると（Ｓ２１でＯＮした）、原稿送り装置３２からの原稿の読込みを再開し（Ｓ２２）、読込みが終了すると、処理を終了する（Ｓ２３）。
【００３２】
このように、原稿読取り装置３２での読取り中に別のジョブが割り込まれたときは、ユーザはその割り込みをテーブルで行なうか、原稿読取り装置３２で行なうかを選択でき、テーブルで割り込みジョブの原稿を読取るときは、現在進行中のジョブの読込みを中断し、テーブル上での割り込みジョブの読取りをすぐに行なうことができる。その結果、簡単な操作で実行中のジョブに影響を与えることなく割り込み処理を行なうことができる。
【００３３】
なお、上記実施の形態においては、割り込みジョブの原稿読取り場所を選択できるようにしたが、これに限らず、テーブル読込み専用の割り込みキーを表示してもよい。そうすれば、割り込みユーザは、テーブル読込みによる割り込みを選択するようになり、通常処理と割り込み処理とを短時間で処理できるようになる。
【００３４】
割り込みジョブのユーザがテーブル割り込みを選択しないとき、すなわち、原稿送り装置３２を用いて割り込みジョブの原稿を読取るときは（Ｓ１３でテーブル割り込みを選択しない）、Ｓ３１へ移行し、原稿送り装置３２の読込み中断処理を行なう。具体的には、現在読取り中の原稿の読取りが終了すると、原稿送り装置３２内の全ての原稿を排出し、読込み動作を終了する。次いで、液晶表示部２２の表示を割り込み画面に移行する（Ｓ３２）。割り込み画面でスタートキーがオンされたか否かを判断し（Ｓ３３）、オンしたと判断すると（Ｓ３３でＯＮした）、読込みを開始、終了し（Ｓ３４、Ｓ３５）、次の原稿の読取りのために再度スタートキーが押されるかを判断するためにＳ３３に戻る。
【００３５】
Ｓ３３でオンされないと（Ｓ３３でＯＮしなかった）、再度別の割り込みがあるか否かを割り込みキーで判断する（Ｓ３６）。割り込みキーがオンされると（Ｓ３６でＯＮした）、Ｓ３３へ戻り、上記した処理を繰り返す（Ｓ３３〜Ｓ３５）。Ｓ３６で割り込みキーがＯＮされないと（Ｓ３６でＯＮしなかった）、Ｓ３７へ進み、液晶表示部２２の表示を割り込み前の画面に戻し（Ｓ３７）、原稿送り装置３２に割り込み前の原稿を再セットする（Ｓ３８）。
【００３６】
スタートキーがオンされるのを待ち（Ｓ３９）、オンされると（Ｓ３９でＯＮした）、読込みを中断した原稿まで原稿の空送りを行ない（Ｓ４０）、原稿送り装置３２からの原稿の読込みを再開する（Ｓ２２）。
【００３７】
このように、割り込みを行なうときは、原稿送り装置またはテーブルのいずれかをユーザが選択できるため、原稿の枚数等に応じて最適な割り込み処理を行うことができる。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３９】
【図１】画像形成装置の全体構成を示す模式図である。
【図２】画像形成装置の機能ブロック図である。
【図３】画像形成装置の動作を示すフローチャートである。
【図４】画像形成装置の動作を示すフローチャートである。
【図５】ユーザが割り込みキーをオンしたときの液晶表示部の表示を示す図である。
【符号の説明】
【００４０】
１０  画像形成装置、１１  原稿送り装置、１５  用紙収納部、２０  操作・表示部、２１  キー入力部、２２  液晶表示部、２３  ＬＥＤ表示部、３０  画像読取り部、３１  スキャナ、３２  原稿送り装置、３３  画像読取りＣＣＤ、３５  画像形成部、４０  制御部、４１  ＣＰＵ、５０  プリンタコントローラ、５１  プリンタエンジン部。
【図１】
2006180347.tif 000003
【図２】
2006180347.tif 000004
【図３】
2006180347.tif 000005
【図４】
2006180347.tif 000006
【図５】
2006180347.tif 000007